(57)【要約】エレベータ昇降路入口２０の発明は、第一の昇降路入口部材３２，４０を第二の昇降路入口部材３４，４２に、所望の構造的関係に固定するスナップ式接続３８を含む。開示された実施例において、スナップ式接続３８は少なくとも１つの受け入れ部５６と、少なくとも１つの固定部材４４とを含み、固定部材は第一の位置において少なくとも部分的に受け入れ部５６内に受け入れられ、かつ第二の位置に移動可能であり、かくして第一の昇降路入口部材３２，４０を第二の昇降路入口部材３４，４２に固定する。固定部材４４は第一の方向６６に移動されて受け入れ部５６の挿入部分６０に入り、固定部分６２に移動されて、第一の昇降路入口部材４０を第二の昇降路入口部材４２に固定する。次いでロック部材７２が、第一の昇降路入口部材４０および第二の昇降路入口部材４２の各々の開口部６４を通して挿入され、かくして固定部材４４の固定部分６２からの移動を防止する。
2008526651.tif 000002
【特許請求の範囲】
【請求項１】
第一の昇降路入口部材を第二の昇降路入口部材に、所望の構造的関係に固定するスナップ式接続を有することを特徴とするエレベータ昇降路入口アセンブリ。
【請求項２】
前記スナップ式接続は、少なくとも１つの受け入れ部と少なくとも１つの固定部材とを有し、該固定部材が第一の位置において少なくとも部分的に前記受け入れ部に受け入れられ、かつ第二の位置に移動可能であり、かくして前記第一の昇降路入口部材を前記第二の昇降路入口部材に固定することを特徴とする請求項１記載のアセンブリ。
【請求項３】
前記受け入れ部が、前記第一の昇降路入口部材の表面を貫通する開口部を有することを特徴とする請求項２記載のアセンブリ。
【請求項４】
前記固定部材を前記第一の位置に移動させることに対応する挿入方向が、前記固定部材を前記第二の位置に移動させる方向とは異なることを特徴とする請求項２記載のアセンブリ。
【請求項５】
前記第一の昇降路入口部材および前記第二の昇降路入口部材はそれぞれの開口部を含み、該開口部は、前記固定部材が前記第二の位置にあるときに整列し、かつ前記それぞれの開口部に少なくとも部分的に受け入れられるロック部材を含むことを特徴とする請求項２記載のアセンブリ。
【請求項６】
前記ロック部材がロッドからなることを特徴とする請求項５記載のアセンブリ。
【請求項７】
前記ロック部材は、前記固定部材が前記第二の位置から移動することを防止することを特徴とする請求項５記載のアセンブリ。
【請求項８】
前記受け入れ部が、該受け入れ部の全体を取り巻く閉じた外周を有することを特徴とする請求項２記載のアセンブリ。
【請求項９】
前記固定部材が、前記第二の昇降路入口部材の表面から延びる軸と、前記表面から遠い前記軸の端部に支持された頭部とを含む請求項２記載のアセンブリ。
【請求項１０】
前記軸が呼び外形寸法を含み、前記頭部がより大きな外形寸法を含むことを特徴とする請求項９記載のアセンブリ。
【請求項１１】
前記受け入れ部が挿入部分と固定部分とを含み、前記挿入部分がより大きな外形寸法に対応し、前記固定部分が前記呼び外形寸法に対応することを特徴とする請求項１０記載のアセンブリ。
【請求項１２】
前記頭部が、前記固定部分に隣接する前記第一の昇降路入口部材の表面と係合することを特徴とする請求項１１記載のアセンブリ。
【請求項１３】
前記スナップ式接続が、前記第一の昇降路入口部材と前記第二の昇降路入口部材との間に位置するブラケットを有することを特徴とする請求項２記載のアセンブリ。
【請求項１４】
前記所望の構造的関係は、前記第二の昇降路入口部材に対して直角に走る前記第一の昇降路入口部材を含むことを特徴とする請求項１記載のアセンブリ。
【請求項１５】
前記第一の昇降路入口部材および前記第二の昇降路入口部材のうち少なくとも一方がわき柱であり、他方が下枠であることを特徴とする請求項１記載のアセンブリ。
【請求項１６】
第一の昇降路入口部材および第二の昇降路入口部材を所望の構造的関係にスナップ取り付けするステップを有することを特徴とするエレベータ昇降路入口の組立方法。
【請求項１７】
前記第一の昇降路入口部材および前記第二の昇降路入口部材のうち少なくとも一方を第一の方向に挿入位置まで移動させるステップと、前記第一の昇降路入口部材および前記第二の昇降路入口部材のうち少なくとも一方を第二の方向に固定位置まで移動させるステップとを含むことを特徴とする請求項１６記載の方法。
【請求項１８】
これらの昇降路入口部材の一方に固定部材を、これらの昇降路入口部材の他方に受け入れ部を具備するステップと、前記固定部材を前記第一の方向に移動させて前記受け入れ部に少なくとも部分的に挿入するステップとを含むことを特徴とする請求項１７記載の方法。
【請求項１９】
前記第二の方向に移動させる際に、前記固定部材を少なくとも部分的に受け入れ部内に保持するステップを含むことを特徴とする請求項１８記載の方法。
【請求項２０】
続いて前記第一の昇降路入口部材および前記第二の昇降路入口部材が前記固定位置から移動することを防止するステップを含むことを特徴とする請求項１７記載の方法。
【請求項２１】
前記第一の方向は、前記第二の方向に対して直角であることを特徴とする請求項１７記載の方法。
【発明の詳細な説明】
【技術分野】
【０００１】
本発明は一般にエレベータシステムに関する。特に、本発明はエレベータのドアウェイ入口に関する。
【背景技術】
【０００２】
エレベータは広く知られ、用いられている。通常の構成はビルディングの各階の間で昇降路内を移動して乗客または貨物を輸送するエレベータかごを含む。ビルディングの各階の乗降場所は昇降路入口を含み、該入口はエレベータかごがビルディングの階に停止したときにエレベータかごのドアと同期して開閉する昇降路入口ドアを支持する。
【発明の開示】
【発明が解決しようとする課題】
【０００３】
設置工事者は通常、昇降路入口を下枠、わき柱、ブラケット、またはその他の昇降路入口部品から組み立てる。昇降路入口部品はナットおよびボルトを用いて互いに固定される。ナットおよびボルトは通常、昇降路入口部品の間に正確な接続を与えず、またナットおよびボルトの取り付けには時間と手間がかかる。
【０００４】
簡略化されたエレベータ昇降路入口、およびこのようなエレベータ昇降路入口の組立方法が求められている。本発明は従来技術の欠点および問題点を避けつつ、このような要求に応えるものである。
【課題を解決するための手段】
【０００５】
例示的なエレベータ入口アセンブリは、第一の昇降路入口部材を第二の昇降路入口部材に、所望の構造的関係に固定するスナップ式接続を含む。
【０００６】
１つの実施例のスナップ式接続は少なくとも１つの受け入れ部と少なくとも１つの固定部材とを含み、固定部材は第一の位置において少なくとも部分的に受け入れ部に受け入れられ、かつ第二の位置に移動可能であり、かくして第一の昇降路入口部材を第二の昇降路入口部材に固定する。固定部材は第一の方向に挿入位置まで移動し、次いで第二の方向に固定位置まで移動して、第一の昇降路入口部材を第二の昇降路入口部材に固定する。
【０００７】
１つの実施例ではロック部材が、第一の昇降路入口部材および第二の昇降路入口部材のそれぞれの開口部を通して挿入され、かくして固定部材を固定位置にロックする。
【０００８】
他の実施例のスナップ式接続はわき柱と下枠との間に位置するブラケットを含む。ブラケットは固定部材を含み、固定部材がわき柱および下枠に位置するそれぞれの受け入れ部に受け入れられた後、固定位置に移動され、わき柱を下枠に固定する。
【０００９】
本発明の様々な特徴および利点は、以下における現在において好ましい実施例の詳細な説明から、当業者にとって明らかとなろう。
【発明を実施するための最良の形態】
【００１０】
図１はエレベータかご１４の上方に位置するエレベータ巻上機システム１２を含む、エレベータシステム１０の一例の斜視図である。エレベータ巻上機システム１２は知られているようにエレベータかご１４を昇降路１６内で、ビルディングの各階の間で移動させる。乗客はエレベータかご１４に、例えばビルディングの階１８に位置する昇降路入口２０を通って出入りする。図示された昇降路入口２０は一組の昇降路ドア２２を有し、これは知られているようにエレベータかごドア２４と同期して開閉してエレベータかご１４への出入りをさせる。
【００１１】
図２は複数の昇降路入口部材を有する昇降路入口２０の実施例の斜視図である。昇降路入口２０は下枠３２、わき柱３４、上枠３５、およびブラケット３６を含み、これらはスナップ式接続３８によって互いに固定されている。この説明に用いられる「スナップ式」という用語は接続の一形式および接続の実施方法を意味し、接続を実施する際に必ずしも「スナップ」と言う音を発するものではない。
【００１２】
図３はスナップ式接続３８の一実施例をより詳細に図示している。スナップ式接続３８は、例えば下枠３２の一部であってもよい第一の昇降路入口部材４０を、わき柱３４の一部であってもよい第二の昇降路入口部材４２に固定する。第一の昇降路入口部材４０は２つの固定部材４４を含む。一実施例では、固定部材４４は第一の昇降路入口部材４０の表面４７から伸びる軸４６と、軸４６の末端部５０に支持された頭部４８とを含む。実施例の軸４６は円形の断面と呼び直径５２とを含み、頭部４８は円形の断面と、より大きな直径５４とを有する。
【００１３】
第二の昇降路入口部材４２は受け入れ部５６を含む。図示された受け入れ部５６は閉じられた外周を有する。他の実施例の受け入れ部は１つの端部において開放されたスロットからなる。受け入れ部５６は各々、頭部４８のより大きな直径５４に対応する寸法を有する挿入部分６０と、軸４６の呼び直径５２に対応する寸法を有する固定部分６２とを含む。挿入部分６０および固定部分６２はそれぞれ第一の昇降路入口部材４０の固定部材４４を受け入れ、固定する。一実施例では、第一の昇降路入口部材４０および第二の昇降路入口部材４２の各々がそれぞれの開口部６４をさらに含み、これらの開口部は固定部材４４が固定部分６２に位置したときに整列する。
【００１４】
軸４６の高さつまり長さは一実施例では固定部分６２に隣接する材料の厚さとほぼ同等であり、これによって適度にはまる。
【００１５】
図示された実施例において、固定部材４４は第一の方向６６に移動されて受け入れ部５６の挿入部分６０に入る。次いで固定部材４４は第二の方向６８に、挿入部分６０から固定部分６２に移動され、第一の昇降路入口部材４０を第二の昇降路入口部材４２に、所望の構造的関係に固定する。
【００１６】
図４は固定位置の実施例を図示しており、固定部材４４の頭部４８が第二の昇降路入口部材４２の、受け入れ部５６の近傍の表面７０と係合している。この位置は各昇降路入口部材を一体に固定し、２つの方向への相対移動を防止する。
【００１７】
次いでピン、ロッド、またはボルトなどのロック部材７２がそれぞれの開口部６４を通して挿入され、第三の、異なる方向への相対移動を防止する。ロック部材７２は固定部材４４とともに作用し、第一の昇降路入口部材４０および第二の昇降路入口部材４２を所望の構造的関係にロックする。ロック部材７２が定位置についたならば、固定部材４２は固定位置にロックされる。一実施例では、ロック部材７２は凹凸のある表面を含み、これがそれぞれの開口部６４と係合してロック部材７２をそれぞれの開口部６４内に固定する。
【００１８】
図５はスナップ式接続３８の他の実施例を図示しており、これはわき柱３４と下枠３２との間に位置するブラケット８６を含む。ブラケット８６は、ブラケット８６の第一の表面９４上に位置する固定部材９２（１つのみ図示）、およびブラケット８６の第二の表面９８上に位置する第二の固定部材９６を含む。下枠３２は固定部材９２を受け入れるための第一の受け入れ部１００を含む。第一の受け入れ部１００は挿入部分６０および固定部分６２を含む。わき柱３４は挿入部分６０および固定部分６２を含む第二の受け入れ部１０２を含み、図６に図示されるように、これらの部分がそれぞれブラケット８６上の第二の固定部材９６を受け入れ、固定する。
【００１９】
図７はスナップ式接続３８の他の実施例の斜視図である。この実施例ではスナップ式接続が、１つの端部１１６において開放されたスロット型受け入れ部１１４を含む表面１１２を有する上枠部材３５を固定する。受け入れ部１１４の他の端部１１８が図８に示されるようにわき柱３４上の固定部材１２２上に係止している。
【００２０】
このようなスナップ式接続の組み合わせが、昇降路入口全体を組み立てるのに用いられ得る。開示された実施例は、なんらの工具を要することなく入口の組立を可能にするという利点をもたらす。一部の実施例のロック部材７２を定位置に入れるには工具が有用または必要であろう。
【００２１】
本発明の好ましい実施例を開示したが、当業者は本発明の範囲内で一定の改良がなされ得ることを認識するであろう。この理由によって、本発明の真の範囲および内容を判定するには以下の請求の範囲が検討されるべきである。
【図面の簡単な説明】
【００２２】
【図１】エレベータシステムおよび昇降路入口の実施例の選択された部分の斜視図である。
【図２】昇降路入口の実施例の斜視図である。
【図３】スナップ式接続の一実施例を示す図である。
【図４】固定位置にある図３の実施例を示す図である。
【図５】わき柱と下枠との間に位置するブラケットを含むスナップ式接続の他の実施例を示す図である。
【図６】固定位置にある図５のスナップ式接続を示す図である。
【図７】昇降路入口部材の実施例の斜視図である。
【図８】ロック位置にある図７の昇降路入口部材を示す図である。
【図１】
2008526651.tif 000003
【図２】
2008526651.tif 000004
【図３】
2008526651.tif 000005
【図４】
2008526651.tif 000006
【図５】
2008526651.tif 000007
【図６】
2008526651.tif 000008
【図７】
2008526651.tif 000009
【図８】
2008526651.tif 000010
【国際調査報告】
2008526651.tif 000011